(57)【要約】【課題】  携帯性に優れるばかりでなく、被搬送者を安定した状態で搬送することもできる担架を提供する。【解決手段】  被搬送者を収容することができるように分断されたシート（下面シート２１，上面シート２２）により袋状に形成された袋体２０と、前記シート（下面シート２１，上面シート２２）の分断部分に設けられ、該分断部分を開放または閉鎖させる締結具３０と、前記袋体２０の外部に設けられた手持部４０と、前記袋体２０の内部に設けられ、気体の注入により板状となって被搬送者を載置するエアマット５０とを備える。【選択図】      図１
2005211568.tif 000002
【特許請求の範囲】
【請求項１】
被搬送者を収容することができるように少なくとも１箇所にて分断されたシートにより袋状に形成された袋体と、
前記シートの分断部分に設けられ、該分断部分を開放または閉鎖させる締結具と、
前記袋体の外部に設けられた手持部と、
前記袋体の内部に設けられ、気体の注入により板状となって被搬送者を載置するエアマットと
を備えることを特徴とする担架。
【請求項２】
前記エアマットは、
気体が注入された状態で被搬送者の後頭部を収容可能な穴部と、
該穴部を被覆して、被搬送者の後頭部を収容不能な状態とする穴部カバーと
を有してなることを特徴とする請求項１に記載の担架。
【請求項３】
前記エアマットは、前記袋体とは別体に形成されると共に袋体内部の底面に着脱自在に構成されていることを特徴とする請求項１または請求項２に記載の担架。
【請求項４】
前記エアマットは、被搬送者の頭部に対応する部位及び被搬送者の足部に対応する部位の少なくとも２箇所に気体の注入口が設けられてなることを特徴とする請求項１から請求項３までのいずれか1つに記載の担架。
【発明の詳細な説明】
【技術分野】
【０００１】
本発明は、担架に関するものであり、詳しくは、傷病者等の被搬送者を収容して搬送する袋状に形成された担架の改良に関するものである。
【背景技術】
【０００２】
一般的な担架は、一対の支持棒と各支持棒間に張設されたシートとを備えるものであり、シートに傷病者等の被搬送者を載せ、救助者等の複数の搬送者が支持棒の前後を手で持って被搬送者を搬送するものであるが、携帯性に劣るものであるため、被搬送者が待機する現場が、山岳地、地震や台風等の災害により倒壊した建造物内、落盤が起きたトンネル内等である場合には、現場まで運び込むことが困難なものである。これに対し、本願発明者は、被搬送者を収容して搬送する袋状に形成された担架を、先に案出している。この担架は、不使用時には折り畳んでコンパクトに納めることができるので、携帯性に優れ、どのような現場であっても、運び込み易いものである。
【０００３】
【特許文献１】特許第３１９９２１６号公報
【発明の開示】
【発明が解決しようとする課題】
【０００４】
しかしながら、単に袋状としただけの担架では、被搬送者を搬送する際に、被搬送者の自重により全体が撓んでしまう。このため、この担架よると、被搬送者は、体が曲げられた窮屈な姿勢で搬送されることになる。ここで、被搬送者が、骨折や火傷を負った負傷者、呼吸器系や循環器系を疾患した病人等である場合には、搬送時にも、被搬送者の体を伸ばした状態で安定させることが望ましい。よって、上述した担架では、携帯性に優れ、どのような場所にも運び込み易いものではあるものの、被搬送者を安定した状態で搬送できない点で、まだ、改良の余地のあるものであった。
【０００５】
本発明は、上記実状を鑑みてなされたものであり、携帯性に優れるばかりでなく、被搬送者を安定した状態で搬送することもできる担架の提供を課題とする。
【課題を解決するための手段】
【０００６】
上記課題を解決するために本発明の採った主要な手段は、
「被搬送者を収容することができるように分断されたシートにより袋状に形成された袋体と、
前記シートの分断部分に設けられ、該分断部分を開放または閉鎖させる締結具と、
前記袋体の外部に設けられた手持部と、
前記袋体の内部に設けられ、気体の注入により板状となって被搬送者を載置するエアマットと
を備えることを特徴とする担架」
である。
【０００７】
このように構成された担架では、締結具を開放して、袋体を構成するシートの分断部分を通じて被搬送者を袋体に収容した上で、締結具を閉鎖すれば、袋体に収容された被搬送者の体は、袋体によって包み込まれることになり、この状態で、手持部を搬送者が手で持って袋体を持ち上げれば、被搬送者を搬送することができる。なお、シートの分断部分を通じて被搬送者を袋体に収容することができるので、被搬送者を適宜場所まで搬送した後には、閉鎖した締結具を開放することで、当然、シートの分断部分を通じて、袋体から被搬送者を出すことができる。
【０００８】
ところで、この担架では、袋体の内部にエアマットを備えており、このエアマットに空気を注入すれば、エアマットが板状となるため、担架全体が撓み難くなる。よって、板状となったエアマットに被搬送者を載せて搬送すれば、被搬送者を安定した状態で搬送することができる。また、エアマットが袋体の内部に設けられているため、エアマットが袋体の内部空間の底面となり、エアマットに載せられた被搬送者は、下面側がエアマットによって、上面側が袋体によって、体が包み込まれることになる。このため、被搬送者の体がエアマットからズレ落ち難くなり、この担架では、この点からも、被搬送者を安定して搬送することができる。
【０００９】
加えて、エアマットは、十分な量の気体を注入して堅固な板状となるばかりでなく、注入する気体の量を減らせば、適宜部位にて折り曲げることもできるものである。よって、エアマットを、適宜箇所にて折り曲げられた椅子状態として使用することもでき、このような使用態様では、被搬送者を載せた担架の奥行きが短くなり、階段、崖、急勾配の坂道等の傾斜地にて被搬送者を搬送する際に、被搬送者を運び易くすることができる。なお、エアマットが適宜部位で折れ曲がったとしても、担架全体が自由に撓むことは、エアマットによって拘束されるため、被搬送者の体が無用に窮屈な状態とはならない。よって、被搬送者を安定して搬送することができることに変わりはない。そればかりか、急傾斜地では、板状のエアマットに寝そべった姿勢よりも、椅子状のエアマットに座った姿勢の方が、被搬送者にとっては安定した姿勢となるため、より、好適である。
【００１０】
一方、シートにより袋状に形成された袋体は、当然、可撓性を有し、気体を排出したエアマットも、当然、可撓性を有する。よって、不使用時には、担架全体を折り曲げたり巻回してコンパクトに納めることができ、この担架が携帯性に優れるものであることは、言うまでもない。
【００１１】
なお、エアマットは、袋体の内部に設けられればよいものであり、袋体と別体に形成されたものに限らず、袋体の底面を構成するシートをエアマットとしてもよい。
【００１２】
上述した手段において、
「前記エアマットは、
気体が注入された状態で被搬送者の後頭部を収容可能な穴部と、
該穴部を被覆して、被搬送者の後頭部を収容不能な状態とする穴部カバーと
を有してなることを特徴とする担架」
としてもよい。
【００１３】
被搬送者が傷病者である場合、その症状によっては、救助時や搬送時に、気道を確保しなければならないことがある。そこで、上記構成の担架では、エアマットを、被搬送者の後頭部を収容可能な穴部を具備するものとする。エアマットの穴部に被搬送者の後頭部が収容されるようにして、被搬送者をエアマットに仰向けで寝かせれば、被搬送者の体は、顎を突き出して上を向いた状態となり、気道を良好に確保することができる。
【００１４】
また、この担架は、穴部を被覆する穴部カバーも具備する。被搬送者を、顎を突き出して上を向いた状態ではなく、通常の顎を引いた状態で寝かしたい場合には、穴部カバーによって穴部を被覆すれば、この穴部カバー上に被搬送者の後頭部を載せることができ、通常の顎を引いた状態で寝かすことができる。
【００１５】
このように、上記構成の担架によれば、被搬送者の症状に多様に対応することができ、担架としての使用勝手を向上させることができる。
【００１６】
上述した手段において、
「前記エアマットは、前記袋体とは別体に形成されると共に袋体内部の底面に着脱自在に構成されていることを特徴とする担架」
としてもよい。
【００１７】
エアマットは、被搬送者を搬送する際の揺れによって袋体の内部で踊ることがないように、袋体内部の底面に一体的となっているのが好ましいのであるが、エアマットが、袋体とは別体に形成されると共に袋体内部の底面に着脱自在となっていれば、エアマットを、袋体から取り外して単独で使用することが可能となる。よって、以下のように、救難用具として種々の用途で使用することができることから、担架自体を、利便性に優れた救難用具とすることができる。
【００１８】
例えば、被搬送者の数に対して担架の数が不足する場合には、被搬送者を順次搬送することになり、被搬送者の一部が現場にて待機することになる。この際に、袋体からエアマットを取り外し、このエアマットに待機する被搬送者を寝かせることで、エアマットを簡易的なベッドとして用いることができる。特に、被搬送者が待機する現場に、寝そべるのに十分な平坦な場所がない場合においては、有効な対処手段である。
【００１９】
また、水害時や海難事故等においては、浮き袋として使用することができる。ここで、担架全体を浮き袋としてし使用しようとすると、袋体や手持部がバタツキ、浮き袋として使用する者の泳ぎを邪魔する虞がある。よって、エアマットを単独で浮き袋として使用することは、好適な使用態様である。
【００２０】
上述した手段において、
「前記エアマットは、被搬送者の頭部に対応する部位及び被搬送者の足部に対応する部位の少なくとも２箇所に気体の注入口が設けられてなることを特徴とする担架」
としてもよい。
【００２１】
エアマットに気体を注入する作業を行うタイミングは、被搬送者を袋体に収容する前であっても、収容した後であってもよいのであるが、袋体に被搬送者を収容した後に気体注の作業を行う場合には、被搬送者の症状によって、被搬送者の顔色を窺いつつ作業を行う必要のある状態や、被搬送者の頭部に、極力、衝撃を与えないように作業を行わなければならない状態等、種々の状態がある。
【００２２】
上記構成の担架では、エアマットに、被搬送者の頭部に対応する部位及び被搬送者の足部に対応する部位の少なくとも２箇所に気体の注入口が設けられていることから、頭部側の注入口を用いてエアマットに気体を注入することとすれば、被搬送者の顔色を窺いつつ気体注入の作業を行うことができ、好適である。一方、足部側の注入口を用いてエアマットに気体を注入することとすれば、被搬送者の頭部が載せられた部位が急激に膨らむことがなく、被搬送者の頭部に、極力、衝撃を与えないように気体注入の作業を行うことができ、好適である。
【００２３】
このように、上記構成の担架によれば、エアマットに気体を注入する作業を行う場合に、種々の状態に応じて、エアマットに気体を注入するための注入口を変更することができることから、担架としての使用勝手を向上させることができる。
【００２４】
また、小型のポンプによって気体を注入する場合には、エアマットを十分に膨らませるために時間を要することとなるが、エアマットの２箇所以上に気体の注入口が設けられていれば、複数の注入口を同時に用いて、複数のポンプにより短時間でエアマットを膨らませることができる。よって、エアマットを迅速に膨らませて、被搬送者を早急に搬送することもできる。
【発明の効果】
【００２５】
上述した通り、本発明によれば、携帯性に優れるばかりでなく、被搬送者を安定した状態で搬送することもできる担架を提供することができる。
【発明を実施するための最良の形態】
【００２６】
本発明に係る担架の実施形態としての一例を、以下、図面に従って詳細に説明する。
【００２７】
図１に示すように、担架１０は、シートにより袋状に形成され、傷病者等の被搬送者を収容する袋体２０を備えている。ここで、袋体２０を形成するシートは、被搬送者の体重に耐え得る十分な強度を有し、また、容易に折り畳みや巻回が可能なように十分な可撓性を有する材質により形成されたものとなっている。また、袋体２０のシートは、袋体２０の下面を形成する下面シート２１と、袋体２０の上面を形成する上面シート２２とから構成されている。そして、下面シート２１と上面シート２２とは、被搬送者の足部に対応する側（以下、説明の便宜上、「足部側」と称す）の端部が逢着されて一体化されているのであるが、被搬送者の頭部に対応する側（以下、説明の便宜上、「頭部側」と称す）の端部及び被搬送者の左右に対応する側（以下、説明の便宜上、「両側」と称す）の端部にて相互に分断されている。よって、下面シート２１と上面シート２２とを、互いの分断部分にて離間させて展開すると、袋体２０全体としては、下面シート２１と上面シート２２とが足部側の端部にて連結され、夫々の内面全体が露呈された１枚のシートとなり、被搬送者を収容し易い状態となる。
【００２８】
下面シート２１及び上面シート２２の分断部分には、ファスナー（ジッパー、チャックとも称する）を採用した締結具３０が設けられており、締結具３０を閉鎖することで、下面シート２１と上面シート２２とで被搬送者の体を包み込むことができる。ここで、締結具３０としては、ファスナーに限らず、面ファスナー、ボタン、ホック、ヒモ等を採用することもできる。また、本例では、ファスナーを開閉させるための摘み部材３１が２つ設けられており、２つの摘み部材３１を移動させて、袋体２０の頭部側及び両側の一部を開放して上面カバー２３を折り返せば、顔が露呈した状態で被搬送者を袋体２０に収容することができる。なお、下面カバー２１と上面カバー２２とを頭部側で完全に閉鎖すれば、顔まで含めて被搬送者の体全体を袋体２０により覆うことができる。よって、本例の担架１０は、遺体袋としても使用することができる。
【００２９】
上面カバー２２の表面には、頭部側の端部分に止着具２３が設けられ、中間部分等の適宜の部位に被止着具２４が設けられている。これら止着具２３と被止着具２４との相互の止着により、被搬送者の顔を露呈させるべく折り返された上面カバー２２を、折り返された状態で維持することができる。なお、本例では、止着具２３及び被止着具２４として、面ファスナーを採用しており、止着具２３または被止着具２４の少なくとも一方が、担架１０の縦方向に長尺状に延設されている。よって、上面カバー２３の折り返し量をある程度、調節することができる。また、止着具２３及び被止着具２４としては、面ファスナーに限らず、ボタン、ホック、ヒモ等を用いることもできる。
【００３０】
袋体２０の外部には、手持部４０が設けられている。具体的には、下面シート２１の両側の複数箇所（左右両側で一対の４箇所）に、帯材を環状に逢着してなる手持部４０が設けられている。救助者等の搬送者は、この手持部４０を手で持つことで、袋体２０に収容された被搬送者を搬送することができる。また、両側の手持部４０に一対の支持棒を差し込むことで、一般的な担架のように、支持棒を持つことによって被搬送者を搬送することもできる。
【００３１】
なお、本例では、手持部４０と共に、金属製の環状の掛け具４１が設けられており、搬送者は、肩掛け用のベルトを掛け具４１に掛けることにより、この肩掛け用のベルトによって、袋体２０を肩で担いで搬送することもできる。
【００３２】
ところで、袋体２０の内部には、袋体２０に収容された被搬送者を、袋体２０の内部にて載置して安定させるためのエアマット５０が設けられている。このエアマット５０は、内部に補強材として網材を有する樹脂シート等、可撓性には優れるが、無用に伸縮しない弾性に劣るシートにより形成されたものであり、気体の注入により板状となるものである。ここで、エアマット５０は、袋体２０（下面シート２１及び上面シート２２）よりも全幅が十分に小さな形状となっている。具体的には、袋体２０よりも片側で１５０ｍｍ程度（全幅で３００ｍｍ程度）小さな形状となっている。よって、エアマット５０に載置した被搬送者を袋体２０によって包み込んでも、被搬送者が膝を立てることができる程度の余裕を確保することができる構造となっている。なお、エアマット５０の全幅が大き過ぎると、エアマット５０に載置された被搬送者の体を袋体２０により無用に拘束する一方で、小さ過ぎると、搬送時の揺れ等により被搬送者の体がエアマット５０上で無用に動いてしまう。よって、エアマット５０の幅は、袋体２０よりも、片側で１００〜２００ｍｍ程度（全副で２００〜４００ｍｍ程度）、小さくするのがよい。
【００３３】
また、このエアマット５０は、注入される気体の圧力が、０．３ＭＰａ（約３気圧）以上、好ましくは０．５ＭＰａ（約５気圧）以上、さらに好ましくは０．７ＭＰａ（約７気圧）以上の高圧であっても絶え得るように構成されており、エアマット５０に十分な量の気体を注入することで、堅固な板状となる。特に、体重が１００ｋｇ適度の被搬送者を載せて、長手方向の両端を支持しても、折れ曲がることがなく、例えば、被搬送者をこの担架１０に収容して、ヘリコプターで吊下げて搬送することも可能である。なお、エアマット５０に注入する気体としては、手動ポンプ等により注入される空気であってもよく、ボンベ等によって注入される二酸化炭素、ヘリウム、窒素等であってもよい。
【００３４】
エアマット５０には、気体を注入するための注入口５１が、被搬送者の頭部に対応する部位と、被搬送者の足部に対応する部位との２箇所に設けられている。ここで、注入口５１は、エアマット５０内の気体を排出させるための排出口ともなるものである。頭部側の注入口５１を用いることで、被搬送者の顔色を窺いながら、エアマット５０に気体を注入することができ、足部側の注入口５１を用いることで、被搬送者の頭部に、極力、衝撃を与えないように、エアマット５０に気体を注入することができる。また、２つの注入口５１から同時に気体を注入することで、エアマット５０を迅速に膨らませることもできる。なお、注入口５１を３箇所以上に設けてもよい。また、排出口については、注入口とは別に設けてもよい。
【００３５】
ところで、図２に示すように、エアマット５０の頭部側には、穴部５４が設けられている。この穴部５４は、エアマット５０に気体を注入した状態で、被搬送者の後頭部を収容可能となるものである。また、エアマット５０の頭部側の端部には、穴部カバー５２が延設されており、この穴部カバー５２をエアマット５０の頭部側の端部から外方に展開した状態とすると、穴部５４が露呈され、この穴部５４に被搬送者の後頭部が収容可能な状態となる。一方、穴部カバー５２をエアマット５０の内方に折り返した状態とすると、穴部カバー５２により穴部５４が被覆され、穴部５４に被搬送者の後頭部が収容不能な状態となる（図１参照）。
【００３６】
穴部カバー５２の裏面には、止着具５５が設けられ、エアマット５０の表面には、被止着具５６が設けられている。これら止着具５５と被止着具５６との相互の止着により、穴部５４を被覆する状態の穴部カバー５２を、その状態で良好に維持することができる。なお、本例では、止着具５５及び被止着具５６として、面ファスナーを採用しているが、ボタン、ホック、ヒモ等を採用することもできる。また、穴部カバー５２の両角部には、摘み部５３が突設されており、穴部５４を被覆する状態でエアマット５０に止着された穴部カバー５２を、摘み部５３を指で掴んで捲ることで、穴部５４を容易に露呈させることができる。
【００３７】
このように、このエアマット５０では、被搬送者の後頭部を穴部５４に収容可能な状態または収容不能な状態に適宜変更できる。よって、被搬送者を通常状態で搬送する場合等においては、図３（ａ）に示すように、穴部５４を穴部カバー５２により被覆することで、被搬送者の頭の高さがエアマット５０の表面と略同一高さとなる状態で、エアマット５０に被搬送者を載せることができる。一方、被搬送者の気道を確保しつつ搬送する場合等においては、図３（ｂ）に示すように、穴部カバー５２を捲くり、穴部５４を露呈させ、この穴部５４に被搬送者の後頭部を収容することで、被搬送者の気道を良好に確保することができる。なお、穴部５４の底には、例えばエアマット５０と同じ材質のシート等、適宜材質のシートにより形成された穴底シート５７が張設されている。このように、穴部５４を穴底シート５７によって有底とすれば、穴部５４に被搬送者の後頭部が無用に深く収容されることを防止することができ、好適である。
【００３８】
また、エアマット５０は、袋体２０とは別体に形成されており、図４に示すように、袋体２０内部の底面、具体的には下面シート２１の上面に着脱自在に設けられている。ここで、本例の担架１０では、下面シート２１に対して上面シート２２を、頭部側の全幅から両側の全長に渡って分離させて、袋体２０を大きく開かせることができるので、袋体２０に対してエアマット５０を容易に着脱できる構造となっている。また、エアマット５０の裏面には、固着具５７が設けられ、袋体２０の底面（下面シート２１の表面）には、被固着具５８が設けられており、袋体２０の内部にエアマット５０を設けた状態では、固着具５７と被固着具５８との相互の固着により、袋体２０に対してエアマット５０を堅固に固定することができる。なお、本例では、固着具５７及び被固着具５８として、面ファスナーを採用しているが、ボタン、ホック、ヒモ等を採用することもできる。
【００３９】
エアマット５０は、十分に気体を注入した状態で堅固な板状となるものであるが、注入する気体の量を減らすことで、ある適度、折り曲げたり、撓ませたりすることができる。よって、階段、崖、急勾配の坂道等にて被搬送者を搬送する場合には、エアマット５０に注入する気体の量を減らし、被搬送者の自重により、エアマット５０が縦方向に適宜箇所にて折れ曲がるようにするとよい。このような態様では、例えば、図５に示すように、エアマット５０が縦方向に２箇所で折れ曲がり、椅子状となる。このようにエアマット５０が折れ曲がっても、エアマット５０が無用な箇所でさらに折れ曲がったり撓んだりしない限り、エアマット５０に載せられた被搬送者の体が窮屈となることはなく、被搬送者を安定した状態で搬送することができることに変わりがない。
【００４０】
また、この担架１０では、手持部４０が左右一対で等間隔の４箇所以上に設けられているため、搬送者が持つ手持部４０を適宜選択することで、エアアット５０の折れ曲がりを多様な形態とすることができる。例えば、片側に１人づつの計２人の搬送者によって、担架１０の両側を支える状態では、頭部側から１番目の手持部４０及び頭部側から３番目の手持部４０を持つことで、図示するように、エアマット５０が椅子状に折れ曲がるようにすることができる。
【００４１】
以上、本発明に係る担架の一例を説明したが、本発明に係る担架は、これに限らず、本発明の要旨を逸脱しない範囲で、適宜の変更が可能である。例えば、袋体の底面を構成するシートによって、エアマットを構成するようにしてもよい。また、袋体は、少なくとも１箇所にて分断されたシートにより形成されたものであればよく、袋体全体を１枚のシートにより形成すると共に、シートを、袋体の表面の中央部分にて縦断するよう分断させてもよい。
【図面の簡単な説明】
【００４２】
【図１】本発明に係る担架の一例を示す斜視図である。
【図２】エアマットの要部を示す斜視図である。
【図３】エアマットに被搬送者を載置する状態の要部を示す断面側面図であり、（ａ）は穴部に被搬送者の後頭部を収容しない状態、（ｂ）は穴部に被搬送者の後頭部を収容する状態である。
【図４】袋体からエアマットを取り外した状態を示す斜視図である。
【図５】担架の使用状態の一例を示す斜視図である。
【符号の説明】
【００４３】
１０  担架
２０  袋体
２１  下面シート
２２  上面シート
２３  止着具
２４  被止着具
３０  締結具
３１  摘み部材
４０  手持部
４１  掛け具
５０  エアマット
５１  注入口
５２  穴部カバー
５３  摘み部
５４  穴部
５５  止着具
５６  被止着具
５７  穴底シート
５８  固着具
５９  被固着具
【図１】
2005211568.tif 000003
【図２】
2005211568.tif 000004
【図３】
2005211568.tif 000005
【図４】
2005211568.tif 000006
【図５】
2005211568.tif 000007